(57)【要約】基地局と移動局との間の通信チャネルを通じた無線伝送を特徴付けるチャネル情報のフィードバックのための方法および装置。本方法は、基地局において、移動局によって生成されるチャネル応答に関連付けられるクラスターを同定する一次識別子を受信する段階と、前記一次識別子によって同定されるクラスター内のチャネル応答メンバーを同定する差分識別子を受信する段階と、前記一次識別子および前記差分識別子によって同定される予め決定されたチャネル応答を、予め決定されたチャネル応答のコードブックにおいて位置特定する段階とを含む。前記コードブック中の予め決定されたチャネル応答は、ある相関基準に従って複数のクラスターにグループ化されており、各クラスターは予め決定されたチャネル応答メンバーを複数含む。本方法はまた、位置特定された予め決定されたチャネル応答に従って移動局への送信を制御する制御信号を生成することにも関わる。本方法はまた、移動局において、前記移動局において受信される少なくとも一つの搬送波周波数についてのチャネル応答を判別する段階と、判別されたチャネル応答に対する最も近いマッチである予め決定されたチャネル応答を、予め決定されたチャネル応答のコードブックにおいて位置特定する段階と、前記移動局をして、位置特定された予め決定されたチャネル応答に関連付けられたクラスターを同定する一次識別子を基地局に送信させる段階と、前記移動局をして、前記一次識別子によって同定されるクラスター内で前記位置特定された予め決定されたチャネル応答メンバーを同定する差分識別子を送信させる段階とをも含む。
2012532534.tif 000002
【特許請求の範囲】
【請求項１】
基地局と移動局との間の通信チャネルを通じた無線伝送を特徴付けるチャネル情報のフィードバックのための方法であって：
移動局によって生成されるチャネル応答に関連付けられるクラスターを同定する一次識別子を受信する段階と；
前記一次識別子によって同定されるクラスター内のチャネル応答メンバーを同定する差分識別子を受信する段階と；
前記一次識別子および前記差分識別子によって同定される予め決定されたチャネル応答を、予め決定されたチャネル応答のコードブックにおいて位置特定する段階であって、前記コードブック中の予め決定されたチャネル応答は、ある相関基準に従って複数のクラスターにグループ化されており、各クラスターは予め決定されたチャネル応答メンバーを複数含む、段階と；
前記位置特定された予め決定されたチャネル応答に従って前記移動局への送信を制御する制御信号を生成する段階とを含む、
方法。
【請求項２】
前記一次識別子を受信する段階は、前記移動局をして、第一の時間期間の間に前記一次識別子を送信させることを含み、前記差分識別子を受信する段階は、前記移動局をして、前記第一の時間期間より後に現れる第二の時間期間の間に前記差分識別子を送信させることを含む、請求項１記載の方法。
【請求項３】
前記移動局をして、前記第一の時間期間の間に前記一次識別子を送信させることは、前記移動局をして、第一の所定の時間間隔だけ時間的に離間された複数の第一の時間期間において前記差分識別子を送信させることを含む、請求項２記載の方法。
【請求項４】
前記移動局をして前記差分識別子を送信させることは、前記移動局をして、第二の所定の時間間隔だけ時間的に離間された複数の第二の時間期間において差分識別子を送信させることを含み、前記第二の所定の時間間隔は前記第一の所定の時間間隔より短い、請求項３記載の方法。
【請求項５】
前記移動局をして前記差分識別子を送信させることは、前記移動局をして、相続く第一の時間期間どうしの間で、所定の時間間隔だけ時間的に離間された複数の第二の時間期間の間に前記差分識別子を送信させることを含む、請求項４記載の方法。
【請求項６】
前記移動局をして前記差分識別子を送信させることは、前記移動局をして、前記差分識別子の送信のための基準が満たされるときに前記差分識別子を送信させることを含む、請求項２記載の方法。
【請求項７】
前記コードブックがN1個のクラスターを含み、各クラスターはN2個のメンバーを含み、前記移動局をして前記一次識別子および前記差分識別子を送信させることは、前記移動局をして、同数のビットをもつ一次識別子および差分識別子を送信させることを含む、請求項１記載の方法。
【請求項８】
前記移動局に前記コードブックを定期的に送信する段階をさらに含む、請求項１記載の方法。
【請求項９】
前記コードブック中の各クラスターは、ある予め決定された一次チャネル応答に関連付けられ、クラスター中の各メンバーは、前記関連付けられた予め決定された一次チャネル応答からのそれぞれの差を定義する、請求項８記載の方法。
【請求項１０】
基地局と移動局との間の通信チャネルを通じた無線伝送を特徴付けるチャネル情報のフィードバックのための方法であって：
前記移動局において受信される少なくとも一つの搬送波周波数についてのチャネル応答を判別する段階と；
判別されたチャネル応答に対する最も近いマッチである予め決定されたチャネル応答を、予め決定されたチャネル応答のコードブックにおいて位置特定する段階であって、前記コードブック中の予め決定されたチャネル応答は、ある相関基準に従って複数のクラスターにグループ化されており、各クラスターは予め決定されたチャネル応答メンバーを複数含む、段階と；
前記移動局をして、位置特定された予め決定されたチャネル応答に関連付けられたクラスターを同定する一次識別子を基地局に送信させる段階と；
前記移動局をして、前記一次識別子によって同定されるクラスター内で前記位置特定された予め決定されたチャネル応答メンバーを同定する差分識別子を送信させる段階とをも含む、
方法。
【請求項１１】
前記判別する段階が、相続く時間期間の間に前記チャネル応答を判別することを含み、前記位置特定する段階は、相続く時間期間のそれぞれについて、判別されたチャネル応答に対する最も近いマッチである予め決定されたチャネル応答を位置特定することを含み、
前記移動局をして前記一次識別子を送信させる段階は、前記移動局をして、第一の時間期間の間に前記一次識別子を送信させることを含み、
前記移動局をして前記差分識別子を送信させる段階は、前記移動局をして、前記第一の時間期間より後に現れる第二の時間期間の間に前記差分識別子を送信させることを含む、
請求項１０記載の方法。
【請求項１２】
前記移動局をして前記一次識別子を送信させることは、前記移動局をして、第一の所定の時間間隔だけ時間的に離間された複数の第一の時間期間において前記差分識別子を送信させることを含む、請求項１１記載の方法。
【請求項１３】
前記移動局をして前記差分識別子を送信させることは、前記移動局をして、第二の所定の時間間隔だけ時間的に離間された複数の第二の時間期間において差分識別子を送信させることを含み、前記第二の所定の時間間隔は前記第一の所定の時間間隔より短い、請求項１２記載の方法。
【請求項１４】
前記移動局をして前記差分識別子を送信させることは、前記移動局をして、相続く第一の時間期間どうしの間で、所定の時間間隔だけ時間的に離間された複数の第二の時間期間の間に前記差分識別子を送信させることを含む、請求項１３記載の方法。
【請求項１５】
前記移動局をして前記差分識別子を送信させることは、前記移動局をして、前記差分識別子の送信のための基準が満たされるときに前記差分識別子を送信させることを含む、請求項１１記載の方法。
【請求項１６】
前記差分識別子の送信のための前記基準は、前記基地局からの要求を含む、請求項１５記載の方法。
【請求項１７】
前記差分識別子の送信のための前記基準は、前記基地局によってなされる決定を含む、請求項１５記載の方法。
【請求項１８】
判別されたチャネル応答に対する最も近いマッチである予め決定されたチャネル応答が、前の第一の時間期間において前記基地局に送信された一次識別子によって同定されるクラスターに関連付けられていない場合に、前記移動局をして、新しい一次識別子を前記基地局に送信させる段階をさらに含む、請求項１１記載の方法。
【請求項１９】
前記コードブックはN1個のクラスターを含み、各クラスターはN2個のメンバーを含み、前記移動局をして前記一次識別子および前記差分識別子を送信させることは、前記移動局をして、同数のビットをもつ一次識別子および差分識別子を送信させることを含む、請求項１０記載の方法。
【請求項２０】
前記移動局をして前記コードブックを定期的に前記基地局から受信させる段階を含む、請求項１０記載の方法。
【請求項２１】
各クラスターはある予め決定された一次チャネル応答に関連付けられており、クラスター中の各メンバーは、前記関連付けられた予め決定された一次チャネル応答からのそれぞれの差を定義する、請求項２０記載の方法。
【請求項２２】
基地局装置であって：
移動局から通信チャネルを通じて無線送信を受信する受信機と；
前記受信機と通信するプロセッサ回路とを有しており、前記プロセッサ回路は、ある相関基準に従って複数のクラスターにグループ化された予め決定されたチャネル応答のコードブックを記憶するコンピュータ可読媒体を有し、各クラスターは複数の予め決定されたチャネル応答メンバーを含み、前記プロセッサ回路は：
移動局によって生成されたチャネル応答に関連付けられたクラスターを同定する一次識別子を受信し；
前記一次識別子によって同定されるクラスター内でチャネル応答メンバーを同定する差分識別子を受信し；
前記クラスターおよび前記差分識別子によって同定される予め決定されたチャネル応答を、前記コードブック中で位置特定し；
前記位置特定された予め決定されたチャネル応答に応じて前記移動局への送信を制御するための制御信号を生成するよう動作可能に構成される、
装置。
【請求項２３】
前記プロセッサ回路は、前記移動局をして、第一の時間期間の間に前記一次識別子を送信させ、前記移動局をして、前記第一の時間期間より後に現れる第二の時間期間の間に前記差分識別子を送信させるよう動作可能に構成されている、請求項２２記載の装置。
【請求項２４】
前記プロセッサ回路は、前記移動局をして、第一の所定の時間間隔だけ時間的に離間された複数の第一の時間期間において前記差分識別子を送信させるよう動作可能に構成されている、請求項２３記載の装置。
【請求項２５】
前記プロセッサ回路は、前記移動局をして、第二の所定の時間間隔だけ時間的に離間された複数の第二の時間期間において差分識別子を送信させるよう動作可能に構成されており、前記第二の所定の時間間隔は前記第一の所定の時間間隔より短い、請求項２４記載の装置。
【請求項２６】
前記プロセッサ回路は、前記移動局をして、相続く第一の時間期間どうしの間で、所定の時間間隔だけ時間的に離間された複数の第二の時間期間の間に前記差分識別子を送信させるよう動作可能に構成されている、請求項２５記載の装置。
【請求項２７】
前記プロセッサ回路は、前記移動局をして、前記差分識別子の送信のための基準が満たされるときに前記差分識別子を送信させるよう動作可能に構成されている、請求項２３記載の装置。
【請求項２８】
前記コードブックはN1個のクラスターを含み、各クラスターはN2個のメンバーを含んでいてもよく、前記プロセッサ回路は、前記移動局をして、同数のビットをもつ一次識別子および差分識別子を送信させるよう動作可能に構成されている、請求項２２記載の装置。
【請求項２９】
前記プロセッサ回路は、前記コードブックを定期的に前記移動局に送信するよう動作可能に構成されている、請求項２２記載の装置。
【請求項３０】
前記コードブック中の各クラスターは、ある予め決定された一次チャネル応答に関連付けられていてもよく、クラスター中の各メンバーは、前記関連付けられた予め決定された一次チャネル応答からのそれぞれの差を定義する、請求項２９記載の装置。
【請求項３１】
移動局装置であって：
基地局から通信チャネルを通じて無線送信を受信する受信機と；
前記受信機と通信するプロセッサ回路とを有しており、前記プロセッサ回路は、ある相関基準に従って複数のクラスターにグループ化された予め決定されたチャネル応答のコードブックを記憶するコンピュータ可読媒体を有し、各クラスターは複数の予め決定されたチャネル応答メンバーを含み、前記プロセッサ回路は：
前記受信機において受信される少なくとも一つの搬送波周波数についてのチャネル応答を判別し；
判別されたチャネル応答に対する最も近いマッチである予め決定されたチャネル応答を、前記コードブック中で位置特定し；
位置特定された予め決定されたチャネル応答に関連付けられたクラスターを同定する一次識別子を前記基地局に送信し；
前記一次識別子によって同定されるクラスター内で前記位置特定された予め決定されたチャネル応答メンバーを同定する差分識別子を送信するよう動作可能に構成される、
装置。
【請求項３２】
前記プロセッサ回路は、相続く時間期間の間に前記チャネル応答を判別し、相続く時間期間のそれぞれについて、判別されたチャネル応答に対する最も近いマッチである予め決定されたチャネル応答を位置特定するよう動作可能に構成され、前記プロセッサ回路は：
第一の時間期間の間に前記一次識別子を送信し；
前記第一の時間期間より後に現れる第二の時間期間の間に前記差分識別子を送信するよう動作可能に構成されている、
請求項３１記載の装置。
【請求項３３】
前記プロセッサ回路は、第一の所定の時間間隔だけ時間的に離間された複数の第一の時間期間において前記差分識別子を送信するよう動作可能に構成されている、請求項３２記載の装置。
【請求項３４】
前記プロセッサ回路は、第二の所定の時間間隔だけ時間的に離間された複数の第二の時間期間において前記差分識別子を送信するよう動作可能に構成されており、前記第二の所定の時間間隔は前記第一の所定の時間間隔より短い、請求項３３記載の装置。
【請求項３５】
前記プロセッサ回路は、相続く第一の時間期間どうしの間で、所定の時間間隔だけ時間的に離間された複数の第二の時間期間の間に前記差分識別子を送信するよう動作可能に構成されている、請求項３２記載の装置。
【請求項３６】
前記プロセッサ回路は、前記差分識別子の送信のための基準が満たされるときに前記差分識別子を送信するよう動作可能に構成されている、請求項３２記載の装置。
【請求項３７】
前記差分識別子の送信のための前記基準は、前記基地局からの要求を含む、請求項３６記載の装置。
【請求項３８】
前記差分識別子の送信のための前記基準は、前記基地局によってなされる決定を含む、請求項３６記載の装置。
【請求項３９】
前記プロセッサ回路は、判別されたチャネル応答に対する最も近いマッチである予め決定されたチャネル応答が、前の第一の時間期間において前記基地局に送信された一次識別子によって同定されるクラスターに関連付けられていない場合に、新しい一次識別子を前記基地局に送信するよう動作可能に構成されている、請求項３２記載の装置。
【請求項４０】
前記コードブックは、N1個のクラスターを含み、各クラスターはN2個のメンバーを含み、前記プロセッサ回路は、同数のビットをもつ一次識別子および差分識別子を送信するよう動作可能に構成されている、請求項３２記載の装置。
【請求項４１】
前記プロセッサ回路は、前記コードブックを定期的に前記基地局から受信するよう動作可能に構成されている、請求項３２記載の装置。
【請求項４２】
各クラスターはある予め決定された一次チャネル応答に関連付けられており、クラスター中の各メンバーは、前記関連付けられた予め決定された一次チャネル応答からのそれぞれの差を定義する、請求項４１記載の装置。
【請求項４３】
基地局と移動局との間の通信チャネルを通じた無線伝送を特徴付ける、コンピュータ可読媒体上にエンコードされたコードブック・データ構造であって、当該データ構造は：
ある相関基準に従って複数のクラスターにグループ化された複数の予め決定されたチャネル応答を含み、各クラスターは予め決定されたチャネル応答メンバーを複数含む、データ構造。
【請求項４４】
各クラスターは、ある予め決定された一次チャネル応答と関連付けられていてもよく、クラスター中の各メンバーは前記関連付けられた予め決定された一次チャネル応答からのそれぞれの差を定義する、請求項４３記載のデータ構造。
【発明の詳細な説明】
【技術分野】
【０００１】
〈関連出願への相互参照〉
本願は2009年7月6日に出願された米国仮特許出願61/223,188号の利益を主張するものである。該出願の内容はここにその全体において参照によって組み込まれる。
【０００２】
本願は、2009年7月6日に出願された米国仮特許出願61/223,188号の米国連邦規則集３７の1.53(c)(3)のもとでの転換から帰結する非仮出願の部分継続（シリアル番号未定）であり、該仮出願は2008年7月7日に出願された米国仮特許出願第61/078,491号の利益を主張するものである。
【０００３】
〈発明の分野〉
本発明は概括的には基地局と移動局との間の無線通信に関し、より詳細には、基地局と移動局との間の無線送信を特徴付けるチャネル情報のフィードバックに関する。
【背景技術】
【０００４】
基地局と移動局との間の通信チャネルを通じた無線通信において、通信チャネルを特徴付けるフィードバック情報が基地局に与えられれば、システム・パフォーマンスが改善されうる。たとえば、基地局および／または移動局において複数アンテナを用いる通信システムでは、基地局は、フィードバック情報に応じて各アンテナで行われる送信に変更を行うことができる。よって、移動局は受信した信号に対してチャネル推定を実行してもよく、チャネル特徴付け情報を基地局にフィードバックしてもよい。
【発明の概要】
【発明が解決しようとする課題】
【０００５】
一つの問題は、最善のシステム・パフォーマンスのためには、チャネル応答のフィードバックは大きな通信オーバーヘッドとなりうるということである。移動局と基地局の間の上りリンク帯域幅は限られているので、そのようなデータの追加的な送信はフィードバック・オーバーヘッドを表す。そのようなシステム・オーバーヘッドを減らす方法および装置が依然として必要とされている。
【課題を解決するための手段】
【０００６】
本発明の一つの側面によれば、基地局と移動局との間の通信チャネルを通じた無線伝送を特徴付けるチャネル情報のフィードバックのための方法が提供される。本方法は、移動局によって生成されるチャネル応答に関連付けられるクラスターを同定する一次識別子（primary  identifier）を受信する段階と、前記一次識別子によって同定されるクラスター内のチャネル応答メンバーを同定する差分識別子（differential  identifier）を受信する段階と、前記一次識別子および前記差分識別子によって同定される予め決定されたチャネル応答を、予め決定されたチャネル応答のコードブックにおいて位置特定する（locate）段階とを含む。前記コードブック中の予め決定されたチャネル応答は、ある相関基準に従って複数のクラスターにグループ化されており、各クラスターは予め決定されたチャネル応答メンバーを複数含む。本方法はまた、位置特定された予め決定されたチャネル応答に従って移動局への送信を制御する制御信号を生成することにも関わる。
【０００７】
一次識別子を受信することは、移動局に、第一の時間期間の間に前記一次識別子を送信させることを含んでいてもよく、差分識別子を受信することは、移動局に、第二の時間期間の間に前記差分識別子を送信させることを含んでいてもよく、前記第二の時間期間は前記第一の時間期間より後に現れる。
【０００８】
移動局に、第一の時間期間の間に一次識別子を送信させることは、移動局に、第一の所定の時間間隔だけ時間的に離間された複数の第一の時間期間において前記差分識別子を送信させることを含んでいてもよい。
【０００９】
移動局に差分識別子を送信させることは、移動局に、第二の所定の時間間隔だけ時間的に離間された複数の第二の時間期間において差分識別子を送信させることを含んでいてもよく、前記第二の所定の時間間隔は前記第一の所定の時間間隔より短い。
【００１０】
移動局に差分識別子を送信させることは、移動局に、相続く第一の時間期間どうしの間で、所定の時間間隔だけ時間的に離間された複数の第二の時間期間において差分識別子を送信させることを含んでいてもよい。
【００１１】
移動局に差分識別子を送信させることは、移動局に、前記差分識別子の送信のための基準が満たされるときに前記差分識別子を送信させることを含んでいてもよい。
【００１２】
前記コードブックは、N1個のクラスターを含んでいてもよく、各クラスターはN2個のメンバーを含んでいてもよく、移動局に一次識別子および差分識別子を送信させることは、移動局に、同数のビットをもつ一次識別子および差分識別子を送信させることを含んでいてもよい。
【００１３】
本方法は、移動局に前記コードブックを定期的に送信することを含んでいてもよい。
【００１４】
前記コードブック中の各クラスターは、ある予め決定された一次チャネル応答に関連付けられていてもよく、各クラスター中の各メンバーは、前記関連付けられた予め決定された一次チャネル応答からのそれぞれの差を定義していてもよい。
【００１５】
本発明のもう一つの側面によれば、基地局と移動局との間の通信チャネルを通じた無線伝送を特徴付けるチャネル情報のフィードバックのための方法が提供される。本方法は、移動局において受信される少なくとも一つの搬送波周波数についてのチャネル応答を判別し、判別されたチャネル応答に対する最も近いマッチである予め決定されたチャネル応答を、予め決定されたチャネル応答のコードブックにおいて位置特定することを含む。前記コードブック中の予め決定されたチャネル応答は、ある相関基準に従って複数のクラスターにグループ化されており、各クラスターは予め決定されたチャネル応答メンバーを複数含む。本方法はまた、移動局に、位置特定された予め決定されたチャネル応答に関連付けられたクラスターを同定する一次識別子を基地局に送信させるとともに、移動局に、前記一次識別子によって同定されるクラスター内で位置特定された予め決定されたチャネル応答メンバーを同定する差分識別子を送信させることをも含む。
【００１６】
判別は、相続く時間期間の間にチャネル応答を判別することを含んでいてもよく、位置特定は、相続く時間期間のそれぞれについて、判別されたチャネル応答に対する最も近いマッチでありうる予め決定されたチャネル応答を位置特定することを含んでいてもよく、移動局に一次識別子を送信させることは、移動局に、第一の時間期間の間に一次識別子を送信させることを含んでいてもよく、移動局に差分識別子を送信させることは、移動局に、第二の時間期間の間に差分識別子を送信させることを含んでいてもよく、前記第二の時間期間は前記第一の時間期間より後に現れる。
【００１７】
移動局に一次識別子を送信させることは、移動局に、第一の所定の時間間隔だけ時間的に離間された複数の第一の時間期間において前記差分識別子を送信させることを含んでいてもよい。
【００１８】
移動局に差分識別子を送信させることは、移動局に、第二の所定の時間間隔だけ時間的に離間された複数の第二の時間期間において差分識別子を送信させることを含んでいてもよく、前記第二の所定の時間間隔は前記第一の所定の時間間隔より短い。
【００１９】
移動局に差分識別子を送信させることは、移動局に、相続く第一の時間期間どうしの間で、所定の時間間隔だけ時間的に離間された複数の第二の時間期間の間に差分識別子を送信させることを含んでいてもよい。
【００２０】
移動局に差分識別子を送信させることは、移動局に、前記差分識別子の送信のための基準が満たされるときに前記差分識別子を送信させることを含んでいてもよい。
【００２１】
前記差分識別子の送信のための基準は、基地局からの要求を含んでいてもよい
前記差分識別子の送信のための基準は、基地局によってなされる決定を含んでいてもよい。
【００２２】
本方法は、判別されたチャネル応答に対する最も近いマッチである予め決定されたチャネル応答が、前の第一の時間期間において基地局に送信された一次識別子によって同定されるクラスターに関連付けられていない場合に、移動局に、新しい一次識別子を基地局に送信させることを含んでいてもよい。
【００２３】
前記コードブックは、N1個のクラスターを含んでいてもよく、各クラスターはN2個のメンバーを含んでいてもよく、移動局に一次識別子および差分識別子を送信させることは、移動局に、同数のビットをもつ一次識別子および差分識別子を送信させることを含んでいてもよい。
【００２４】
本方法は、移動局に前記コードブックを定期的に基地局から受信させることを含んでいてもよい。
【００２５】
各クラスターはある予め決定された一次チャネル応答に関連付けられていてもよく、クラスター中の各メンバーは、前記関連付けられた予め決定された一次チャネル応答からのそれぞれの差を定義していてもよい。
【００２６】
本発明のもう一つの側面によれば、基地局装置が提供される。当該装置は、移動局から通信チャネルを通じて無線送信を受信する受信機と、該受信機と通信するプロセッサ回路とを含み、該プロセッサ回路は、ある相関基準に従って複数のクラスターにグループ化された予め決定されたチャネル応答のコードブックを記憶するコンピュータ可読媒体を有する。各クラスターは複数の予め決定されたチャネル応答メンバーを含む。前記プロセッサ回路は、移動局によって生成されたチャネル応答に関連付けられたクラスターを同定する一次識別子を受信し、前記一次識別子によって同定されるクラスター内でチャネル応答メンバーを同定する差分識別子を受信するよう動作可能に構成される。前記プロセッサ回路はまた、前記クラスターおよび前記差分識別子によって同定される予め決定されたチャネル応答を、前記コードブック中で位置特定し、位置特定された予め決定されたチャネル応答に従って移動局への送信を制御するための制御信号を生成するようにも動作可能に構成される。
【００２７】
前記プロセッサ回路は、移動局に、第一の時間期間の間に一次識別子を送信させ、移動局に、第二の時間期間の間に差分識別子を送信させるよう動作可能に構成されていてもよく、前記第二の時間期間は前記第一の時間期間より後に現れる。
【００２８】
前記プロセッサ回路は、移動局に、第一の所定の時間間隔だけ時間的に離間された複数の第一の時間期間において前記差分識別子を送信させるよう動作可能に構成されていてもよい。
【００２９】
前記プロセッサ回路は、移動局に、第二の所定の時間間隔だけ時間的に離間された複数の第二の時間期間において差分識別子を送信させるよう動作可能に構成されていてもよく、前記第二の所定の時間間隔は前記第一の所定の時間間隔より短い。
【００３０】
前記プロセッサ回路は、移動局に、相続く第一の時間期間どうしの間で、所定の時間間隔だけ時間的に離間された複数の第二の時間期間の間に差分識別子を送信させるよう動作可能に構成されていてもよい。
【００３１】
前記プロセッサ回路は、移動局に、前記差分識別子の送信のための基準が満たされるときに前記差分識別子を送信させるよう動作可能に構成されていてもよい。
【００３２】
前記コードブックは、N1個のクラスターを含んでいてもよく、各クラスターはN2個のメンバーを含んでいてもよく、前記プロセッサ回路は、移動局に、同数のビットをもつ一次識別子および差分識別子を送信させるよう動作可能に構成されていてもよい。
【００３３】
前記プロセッサ回路は、前記コードブックを定期的に移動局に送信するよう動作可能に構成されていてもよい。
【００３４】
前記コードブック中の各クラスターは、ある予め決定された一次チャネル応答に関連付けられていてもよく、クラスター中の各メンバーは、前記関連付けられた予め決定された一次チャネル応答からのそれぞれの差を定義していてもよい。
【００３５】
本発明のもう一つの側面によれば、移動局装置が提供される。本装置は、基地局から通信チャネルを通じて無線送信を受信する受信機と、該受信機と通信するプロセッサ回路とを含み、該プロセッサ回路は、ある相関基準に従って複数のクラスターにグループ化された予め決定されたチャネル応答のコードブックを記憶するコンピュータ可読媒体を有する。各クラスターは複数の予め決定されたチャネル応答メンバーを含む。前記プロセッサ回路は、前記受信機において受信される少なくとも一つの搬送波周波数についてのチャネル応答を判別し、判別されたチャネル応答に対する最も近いマッチである予め決定されたチャネル応答を、前記コードブック中で位置特定するよう動作可能に構成される。前記プロセッサ回路はまた、位置特定された予め決定されたチャネル応答に関連付けられたクラスターを同定する一次識別子を基地局に送信するとともに、前記一次識別子によって同定されるクラスター内で、位置特定された予め決定されたチャネル応答メンバーを同定する差分識別子を送信するようにも動作可能に構成される。
【００３６】
前記プロセッサ回路は、相続く時間期間の間にチャネル応答を判別し、判別されたチャネル応答に対する最も近いマッチである予め決定されたチャネル応答を位置特定するよう動作可能に構成されていてもよく、前記プロセッサ回路は、第一の時間期間の間に一次識別子を送信し、第二の時間期間の間に差分識別子を送信するよう動作可能に構成されていてもよく、前記第二の時間期間は前記第一の時間期間より後に現れる。
【００３７】
前記プロセッサ回路は、第一の所定の時間間隔だけ時間的に離間された複数の第一の時間期間において前記差分識別子を送信するよう動作可能に構成されていてもよい。
【００３８】
前記プロセッサ回路は、第二の所定の時間間隔だけ時間的に離間された複数の第二の時間期間において前記差分識別子を送信するよう動作可能に構成されていてもよく、前記第二の所定の時間間隔は前記第一の所定の時間間隔より短い。
【００３９】
前記プロセッサ回路は、相続く第一の時間期間の間の所定の時間間隔だけ時間的に離間された複数の第二の時間期間の間に前記差分識別子を送信するよう動作可能に構成されていてもよい。
【００４０】
前記プロセッサ回路は、前記差分識別子の送信のための基準が満たされるときに前記差分識別子を送信するよう動作可能に構成されていてもよい。
【００４１】
前記差分識別子の送信のための基準は、基地局からの要求を含んでいてもよい
前記差分識別子の送信のための基準は、基地局によってなされる決定を含んでいてもよい。
【００４２】
前記プロセッサ回路は、判別されたチャネル応答に対する最も近いマッチである予め決定されたチャネル応答が、前の第一の時間期間において基地局に送信された一次識別子によって同定されるクラスターに関連付けられていない場合に、新しい一次識別子を基地局に送信するよう動作可能に構成されていてもよい。
【００４３】
前記コードブックは、N1個のクラスターを含んでいてもよく、各クラスターはN2個のメンバーを含んでいてもよく、前記プロセッサ回路は、同数のビットをもつ一次識別子および差分識別子を送信するよう動作可能に構成されていてもよい。
【００４４】
前記プロセッサ回路は、前記コードブックを定期的に基地局から受信するよう動作可能に構成されていてもよい。
【００４５】
各クラスターはある予め決定された一次チャネル応答に関連付けられていてもよく、クラスター中の各メンバーは、前記関連付けられた予め決定された一次チャネル応答からのそれぞれの差を定義していてもよい。
【００４６】
本発明のもう一つの側面によれば、基地局と移動局との間の通信チャネルを通じた無線伝送を特徴付ける、コンピュータ可読媒体上にエンコードされたコードブック・データ構造が提供される。本データ構造は、ある相関基準に従って複数のクラスターにグループ化された複数の予め決定されたチャネル応答を含み、各クラスターは予め決定されたチャネル応答メンバーを複数含む。
【００４７】
各クラスターは、予め決定された一次チャネル応答と関連付けられていてもよく、クラスター中の各メンバーは関連付けられた予め決定された一次チャネル応答からのそれぞれの差を定義してもよい。
【００４８】
本発明の他の側面および特徴は、付属の図面との関連で本発明の個別的な実施形態の以下の説明を見れば、当業者には明白となるであろう。
【００４９】
図面は本発明の実施形態を例解するものである。
【図面の簡単な説明】
【００５０】
【図１】本発明の諸側面が実装されうる一般的なセルラー通信システムのブロック図である。
【図２】図１に描かれる基地局のブロック図である。
【図３】図１に描かれる無線端末のブロック図である。
【図４】図１に描かれる例示的な中継局のブロック図である。
【図５】図２に示される基地局の例示的なOFDM送信機の論理的な構成のブロック図である。
【図６】図３に示される無線端末の例示的なOFDM受信機の論理的な構成のブロック図である。
【図７】図１に示されるセルラー通信システムによって実装されるネットワーク構造を示す、IEEE802.16m-08/003r1の図１に対応する概略図である。
【図８】図４に示される中継局の構造を示し、IEEE802.16m-08/003r1の図２に対応する概略図である。
【図９】図１に示されるセルラー通信システムのシステム参照モデルを示し、IEEE802.16m-08/003r1の図３に対応する概略図である。
【図１０】IEEE802.16mに基づくプロトコル構造を示す、IEEE802.16m-08/003r1の図４に対応する概略図である。
【図１１】IEEE802.16mに基づくMS/BSデータ・プレーンの処理フローを示し、IEEE802.16m-08/003r1の図５に対応する図である。
【図１２】IEEE802.16mに基づくMS/BS制御プレーンの処理フローを示し、IEEE802.16m-08/003r1の図６に対応する図である。
【図１３】マルチキャリア・システムをサポートするための一般的なプロトコル構造を示し、IEEE802.16m-08/003r1の図７に対応する概略図である。
【図１４】図５に示される基地局のアンテナによって送信される周波数スペクトルを表す図である。
【図１５】図５に示される基地局および図６に示される移動局において使われるコードブックの表形式の表現を示す図である。
【図１６】チャネル応答のフィードバックを実行するための、図６に示される移動局のプロセッサ回路によって実行されるプロセスを示す図である。
【図１７】図６に示される移動局からのチャネル応答のフィードバックを受信するための、図５に示される基地局のプロセッサ回路によって実行されるプロセスを示す図である。
【図１８】図５に示される基地局と図６に示されるような第一および第二の移動局との間の伝送の概略的な表現を示す図である。
【図１９】図５に示される基地局と図６に示される移動局において使われるコードブックの代替的な実施形態の表形式の表現を示す図である。
【図２０】図５に示される基地局へのチャネル応答のフィードバックを実行するための、図６に示される移動局のプロセッサ回路によって実行されるプロセスを示す図である。
【発明を実施するための形態】
【００５１】
〈無線システムの概観〉
図面を参照するに、図１は、複数のセル１２内の無線通信を制御する基地局コントローラ（BSC:  base  station  controller）１０を示している。これらのセルは対応する基地局（BS:  base  station）１４によってサービスされる。いくつかの構成では、各セルはさらに複数のセクター１３またはゾーン（図示せず）に分割される。一般に、各基地局１４は、対応する基地局１４に関連付けられたセル１２内にある移動局（MS:  mobile  station）および／または無線端末１６との、直交周波数分割多重（OFDM:  Orthogonal  Frequency-Division  Multiplexing）デジタル変調方式を使った通信を容易にする。
【００５２】
基地局１４に対して移動局１６が動くと、チャネル条件の有意な変動を生じる。図のように、基地局１４および移動局１６は、通信のための空間ダイバーシチを与えるために複数のアンテナを含んでいてもよい。いくつかの構成では、基地局１４と移動局１６との間の通信において中継局（RS:  relay  station）１５が支援してもよい。移動局１６は任意のセル１２、セクター１３、ゾーン（図示せず）、基地局１４または中継局１５から、別のセル１２、セクター１３、ゾーン（図示せず）、基地局１４または中継局１５にハンドオフされることができる。いくつかの構成では、基地局１４は、バックホール・ネットワーク１１を通じて、互いと、および別のネットワーク（いずれも図示しないコア・ネットワークまたはインターネットのような）と通信する。いくつかの構成では、基地局コントローラ１０は必要とされない。
【００５３】
〈基地局〉
図２を参照するに、基地局１４の例が示されている。基地局１４は一般に、制御システム２０、ベースバンド・プロセッサ２２、送信回路２４、受信回路２６、複数の送信アンテナ２８および２９およびネットワーク・インターフェース３０を含む。受信回路２６は、移動局１６（図３に示す）および中継局１５（図４に示す）によって提供される一つまたは複数のリモート送信機からの情報を担持する電波周波数信号を受信する。低ノイズ増幅器およびフィルタ（図示せず）が、処理のために受信された信号を増幅し、該信号から広帯域干渉を除去するために協力してもよい。次いで、下方変換およびデジタル化回路（図示せず）が、フィルタ処理された受信された信号を中間またはベースバンド周波数信号に下方変換し、それが次いでデジタル化されて一つまたは複数のデジタル・ストリームにされる。
【００５４】
ベースバンド・プロセッサ２２はデジタル化されたストリームを処理して、受信信号において伝達される情報またはデータ・ビットを抽出する。この処理は典型的には、復調、復号および誤り訂正動作を含む。よって、ベースバンド・プロセッサ２２は一般に、一つまたは複数のデジタル信号プロセッサ（DSP:  digital  signal  processor）または特定用途向け集積回路（ASIC:  application-specific  integrated  circuit）において実装される。その情報は、次いで、直接または中継局１５の一つの支援により、ネットワーク・インターフェース３０を介して無線ネットワークを通じて送られる、あるいは基地局１４によってサービスされる別の移動局１６に送信される。
【００５５】
送信機能を実行するために、ベースバンド・プロセッサ２２は、音声、データまたは制御情報を表しうるデジタル化されたデータを、制御システム２０の制御のもとでネットワーク・インターフェース３０から受け取り、送信のために、エンコードされたデータを生成する。エンコードされたデータは送信回路２４に出力され、そこで所望される送信周波数（単数または複数）をもつ一つまたは複数の搬送波信号によって変調される。電力増幅器（図示せず）が変調された搬送波信号を送信のために適切なレベルに増幅し、変調された搬送波信号を整合ネットワーク（matching  network）（図示せず）を通じて送信アンテナ２８および２９に届ける。変調および処理の詳細は下記でより詳細に述べる。
【００５６】
〈移動局〉
図３を参照するに、移動局１６の例が示されている。基地局１４と同様に、移動局１６は制御システム３２、ベースバンド・プロセッサ３４、送信回路３６、受信回路３８、複数の受信アンテナ４０および４１およびユーザー・インターフェース回路４２を含む。受信回路３８は、基地局１４および中継局１５の一つまたは複数から情報を担持する電波周波数信号を受信する。低ノイズ増幅器およびフィルタ（図示せず）が、処理のために該信号を増幅し、該信号から広帯域干渉を除去するために協力してもよい。次いで、下方変換およびデジタル化回路（図示せず）が、フィルタ処理された受信された信号を中間またはベースバンド周波数信号に下方変換し、それが次いでデジタル化されて一つまたは複数のデジタル・ストリームにされる。
【００５７】
ベースバンド・プロセッサ３４はデジタル化されたストリームを処理して、信号において伝達される情報またはデータ・ビットを抽出する。この処理は典型的には、復調、復号および誤り訂正動作を含む。ベースバンド・プロセッサ３４は一般に、一つまたは複数のデジタル信号プロセッサ（DSP:  digital  signal  processor）および特定用途向け集積回路（ASIC:  application-specific  integrated  circuit）において実装される。
【００５８】
送信のために、ベースバンド・プロセッサ３４は、音声、ビデオ、データまたは制御情報を表しうるデジタル化されたデータを、制御システム３２から受け取り、送信のためにエンコードする。エンコードされたデータは送信回路３６に出力され、そこで所望される送信周波数（単数または複数）にある一つまたは複数の搬送波信号を変調するために変調器によって使われる。電力増幅器（図示せず）が変調された搬送波信号を送信のために適切なレベルに増幅し、変調された搬送波信号を整合ネットワーク（matching  network）（図示せず）を通じて受信アンテナ４０および４１のそれぞれに届ける。当業者に利用可能なさまざまな変調および処理技法が、直接または中継局１５を介した移動局１６と基地局１４の間の信号伝送のために使われうる。
【００５９】
〈OFDM変調〉
OFDM変調では、伝送帯域が複数の直交する搬送波に分割される。各搬送波は送信されるべきデジタル・データに従って変調される。OFDMは送信帯域を複数の搬送波に分割するので、搬送波当たりの帯域幅は減少し、搬送波当たりの変調時間は増大する。複数の搬送波が並行して伝送されるので、任意の所与の搬送波上でのデジタル・データまたはシンボルの伝送レートは、単一の搬送波が使われるときよりも低い。
【００６０】
OFDM変調は、送信されるべき情報に対する逆高速フーリエ変換（IFFT:  Inverse  Fast  Fourier  Transform）の利用を含む。復調のためには、受信信号に対して高速フーリエ変換（FFT:  Fast  Fourier  Transform）が実行されて、送信された情報を回復する。実際上は、IFFTおよびFFTは、それぞれ逆離散フーリエ変換（IDFT:  Inverse  Discrete  Fourier  Transform）および離散フーリエ変換（DFT:  Discrete  Fourier  Transform）に関わるデジタル信号処理によって提供される。よって、OFDM変調の特徴的な部分は、伝送チャネル内の複数の帯域について直交する搬送波が生成されるということである。変調される信号は比較的低い伝送レートをもち、それぞれの帯域内に留まることのできるデジタル信号である。個々の搬送波がデジタル信号によって直接変調されるのではない。その代わり、すべての搬送波がIFFT処理によって一度に変調される。
【００６１】
動作では、OFDMは好ましくは、少なくとも基地局１４から移動局１６への下りリンク伝送のために使用できる。各基地局１４は「n」個の送信アンテナ（n≧1）を備え、各移動局１６は「m」個の受信アンテナ４０（m≧1）を備える。特に、それぞれのアンテナは、適切な二重器（duplexer）またはスイッチを使って受信兼送信用に使用でき、このようにラベル付けされているのは明確のためにすぎない。
【００６２】
中継局１５を使う場合、OFDMは好ましくは、基地局１４から中継局への、また中継局から移動局１６への下りリンク伝送のために使用される。
【００６３】
〈中継局〉
図４を参照するに、例示的な中継局１５が示されている。基地局１４および移動局１６と同様に、中継局１５は制御システム１３２、ベースバンド・プロセッサ１３４、送信回路１３６、受信回路１３８、複数のアンテナ１３０および中継回路１４２を含む。中継回路１４２は中継局１５が基地局１４の一つと移動局１６の一つとの間の通信において支援できるようにする。受信回路１３８は基地局１４および移動局１６の一つまたは複数からの情報を担持する電波周波数信号を受信する。低ノイズ増幅器およびフィルタ（図示せず）が、処理のために該信号を増幅し、該信号から広帯域干渉を除去するために協力してもよい。次いで、下方変換およびデジタル化回路（図示せず）が、フィルタ処理された受信された信号を中間またはベースバンド周波数信号に下方変換し、それが次いでデジタル化されて一つまたは複数のデジタル・ストリームにされる。
【００６４】
ベースバンド・プロセッサ１３４はデジタル・ストリームを処理して、信号において伝達される情報またはデータ・ビットを抽出する。この処理は典型的には、復調、復号および誤り訂正動作を含む。ベースバンド・プロセッサ１３４は一般に、一つまたは複数のデジタル信号プロセッサ（DSP:  digital  signal  processor）および特定用途向け集積回路（ASIC:  application-specific  integrated  circuit）において実装される。
【００６５】
送信のためには、ベースバンド・プロセッサ１３４は、音声、ビデオ、データまたは制御情報を表しうるデジタル化されたデータを、制御システム１３２から受け取り、該データを送信のためにエンコードする。エンコードされたデータは送信回路１３６に出力され、そこで所望される送信周波数（単数または複数）にある一つまたは複数の搬送波信号を変調するよう変調器によって使用される。電力増幅器（図示せず）が変調された搬送波信号を送信のために適切なレベルに増幅し、変調された搬送波信号を整合ネットワーク（matching  network）（図示せず）を通じてアンテナ１３０に届ける。上述したように、当業者に利用可能なさまざまな変調および処理技法が、直接または中継局１５を介して間接的に、移動局１６と基地局１４の間の信号伝送のために使われうる。
【００６６】
図５を参照しつつ、論理的なOFDM送信アーキテクチャについて述べる。図１を参照するに、まず、基地局コントローラ１０が、直接または中継局１５の一つの支援により、さまざまな移動局１６に送信されるべきデータを、基地局１４に送る。基地局１４は、該データを送信のためにスケジュールするとともに、スケジュールされたデータを送信するための適切な符号化および変調を選択するために、移動局１６に関連付けられたチャネル品質指標（CQI:  channel  quality  indicator）を使ってもよい。CQIは移動局１６によって直接与えられてもよいし、あるいは移動局１６によって与えられる情報に基づいて基地局１４によって決定されてもよい。いずれにせよ、各移動局１６についてのCQIは、チャネル振幅（または応答）が当該OFDM周波数帯域を通じて変動する度合いの関数である。
【００６７】
〈スケジュールされたデータの移動局への送信〉
図１および図５を参照するに、スケジュールされたデータ４４はビットのストリームであり、このストリームはデータ・スクランブル論理４６を使って、該データに関するピーク対平均電力比を低下させる仕方でスクランブルされる。CRC付加論理４８を使って、スクランブルされたデータについての巡回冗長検査（CRC:  cyclic  redundancy  check）が決定され、スクランブルされたデータにアペンドされる。次に、移動局１６での復元および誤り訂正を容易にするために該データに冗長性を効果的に加えるよう、チャネル・エンコーダ５０を使ってチャネル符号化が実行される。特定の移動局１６についてのチャネル符号化は、その特定の移動局に関連付けられたCQIに基づく。いくつかの実装では、チャネル・エンコーダ５０は既知のターボ符号化（turbo  encoding）技法を使う。エンコードされたデータは次いでレート・マッチング論理５２によって処理されて、エンコードに伴うデータ拡大が補償される。
【００６８】
ビット・インターリーバ論理５４は、連続するデータ・ビットの損失を最小限にするために、エンコードされたデータにおけるビットを系統的に並べ替える。並べ替えられたデータ・ビットは、マッピング論理５６によって、選ばれたベースバンド変調に依存して、対応するシンボルに系統的にマッピングされる。好ましくは、直交振幅変調（QAM:  Quadrature  Amplitude  Modulation）または直交位相偏移符号化（QPSK:  Quadrature  Phase  Shift  Key）変調が使用される。変調度（degree  of  modulation）は、その特定の移動局に関連付けられたCQIに基づいて選ばれる。周波数選択的なフェージングによって引き起こされる周期的なデータ損失に対して送信されるデータの安全性をさらに強化するために、シンボル・インターリーバ論理５８を使って、シンボルが系統的に並べ替えられてもよい。
【００６９】
この時点で、ビットのグループが、振幅および位相の配位図〔コンステレーション〕における位置を表すシンボルにマッピングされたことになる。空間的ダイバーシチが所望されるとき、シンボルのブロックが次いで時空間ブロック符号（STC:  space-time  block  code）エンコーダ論理６０によって処理される。これは、送信される信号を干渉に対してより耐性にし、移動局１６でより容易に復号されるようにする仕方でシンボルを修正する。STCエンコーダ論理６０ははいってくるシンボルを処理し、基地局１４についての送信アンテナの数（図５に示した場合についてはn＝2）に対応する「n」個の出力を提供する。図５に関して上述した制御システム２０および／またはベースバンド・プロセッサ２２がSTCエンコーダを制御するためのマッピング制御信号を与える。この時点では、「n」個の出力についてのシンボルは、送信されるべき、移動局１６によって復元されることができるデータを表すと想定する。
【００７０】
今の例については、基地局（図１の１４）が二つの送信アンテナ２８および２９を有し（n＝2）、STCエンコーダ論理６０がシンボルの二つの出力ストリームを与えると想定する。出力される各シンボル・ストリームは、理解の容易のため別個に図示されている対応する出力経路６１、６３に送られる。当業者は、そのようなデジタル信号処理を、単独でまたは本稿に記載される他の処理との組み合わせで提供するために、一つまたは複数のプロセッサが使用されうることを認識するであろう。各出力経路において、IFFTプロセッサ６２は、逆フーリエ変換を実行するよう与えられたシンボルに対して作用する。IFFTプロセッサ６２の出力は時間領域のシンボルを提供する。OFDMシンボルとしても知られる時間領域シンボルは、プレフィックス挿入機能６４によってプレフィックスを割り当てることによって、フレームにまとめられる。結果として得られるフレームは、対応するデジタル上方変換（DUC:  digital  up-conversion）およびデジタル‐アナログ（D/A:  digital-to-analog）変換回路６６を介して、デジタル領域において中間周波数に上方変換され、アナログ信号に変換される。各出力経路からの結果として得られる（アナログ）信号は次いで、RF回路６８および送信アンテナ２８および２９を介して、所望されるRF周波数において同時に変調され、増幅され、移動局の一つに送信される。
【００７１】
図１４を参照するに、アンテナ２８および２９によって送信される例示的な周波数スペクトルの表現が概括的に２００で示されている。スペクトル２００は、複数のデータ・キャリア２０２を含む、複数の離間されたサブキャリアを含む。注目すべきことに、スペクトル２００は、諸サブキャリアの間に分散された複数のパイロット信号２０４をも含む。パイロット信号２０４は一般に、意図された移動局によって知られている時間および周波数の両方における所定のパターンを有する。OFDM送信では、パイロット信号は一般にパイロット・シンボルを含む。のちに詳述する移動局１６は、チャネル推定のためにそうしたパイロット信号を使う。
【００７２】
〈移動局における信号の受信〉
ここで、送信された信号を、基地局（図１の１４）の一つから直接または中継局（図１の１５）の一つの支援により移動局１６の一つが受信することを例解する図６を参照する。送信された信号が移動局１６のうちの一つの移動局の受信アンテナ４０および４１のそれぞれに到着すると、それぞれの信号は対応するRF回路７０によって復調され、増幅される。簡明のため、二つの受信経路のうちの一方しか詳細に説明および図示はしない。アナログ‐デジタル（A/D）変換器兼下方変換回路７２は、デジタル処理のためにアナログ信号をデジタル化し、下方変換する。結果として得られるデジタル信号は、受信された信号レベルに基づいてRF回路７０における増幅器の利得を制御するために、自動利得制御回路（AGC:  automatic  gain  control  circuitry）７４によって使用されてもよい。
【００７３】
最初、デジタル化された信号は、概括的に７６で示されている同期論理に与えられる。同期論理は、いくつかのOFDMシンボルをバッファリングし、二つの相続くOFDMシンボルの間の自己相関を計算する粗同期機能７８を含む。相関結果の最大に対応する結果として得られる時間インデックスが、微細同期の探索窓を決定する。この探索窓が、微細同期機能８０によって、ヘッダに基づく精密な枠組み開始位置を決定するために使用される。微細同期機能８０の出力は、フレーム整列論理８４によるフレーム取得を容易にする。その後のFFT処理が時間領域から周波数領域への正確な変換を与えるよう、適正な枠組み整列は重要である。微細同期アルゴリズムは、ヘッダによって担持される受信されたパイロット信号と、既知のパイロット・データのローカルなコピーの間の相関に基づく。ひとたびフレーム整列取得が発生すると、OFDMシンボルのプレフィックスがプレフィックス除去論理８６により除去され、結果として得られるサンプルが周波数オフセット／補正機能８８に送られる。該周波数オフセット／補正機能８８は、送信機と受信機における整合しない局部発振器によって引き起こされるシステム周波数オフセットを補償する。好ましくは、同期論理７６は周波数オフセットおよびクロック推定機能８２を含む。これはヘッダを使って、送信される信号における周波数オフセットおよびクロック・オフセットを推定し、そうした推定を、OFDMシンボルを適正に処理するよう周波数オフセット／補正機能８８に提供するのを助ける。
【００７４】
この時点で、時間領域におけるOFDMシンボルは、FFT処理機能９０による周波数領域への変換の準備ができている。その結果は周波数領域シンボルの集合であり、それが処理機能９２に送られる。処理機能９２は、分散パイロット抽出機能９４を使って、ちりばめられたパイロット信号（図１４では２０４で示されている）を抽出し、チャネル推定機能９６を使って、抽出されたパイロット信号に基づいてチャネル推定を決定し、チャネル再構成機能９８を使って、すべてのサブキャリアについてのチャネル応答を提供する。ある実施形態では、チャネル推定は、パイロット信号の情報を使って、基地局１４と移動局１６の間の伝送チャネルについての伝達関数を生成することに関わる。図１４に示されるように、パイロット信号２０４は本質的には、時間および周波数の両方において既知のパターンで諸OFDMサブキャリアを通じてデータ・シンボルの間に分散されている複数のパイロット・シンボルであり、各サブキャリアについてのチャネル応答を決定するのを容易にする。図６に示した移動局実施形態はチャネル・インパルス応答機能（channel  impulse  response  function）１２２をも含む。これは、受信された信号およびSINRを使って信号干渉雑音比（SINR:  signal  interference  noise  ratio）の推定を容易にする。この実施形態では、チャネル品質指標（CQI）機能１２０がチャネル品質指標を与え、該チャネル品質指標は、CIR機能１２２によって決定されたSINRを含み、また受信機信号強度指標（RSSI:  receiver  signal  strength  indicator）をも含んでいてもよい。
【００７５】
図６を続けると、処理論理は、受信されたパイロット信号２０４を、ある時点であるサブキャリアにおいて予期されるパイロット信号と比較し、送信されたパイロット・シンボルを含んでいたサブキャリアについてのチャネル応答を決定する。パイロット・シンボルが与えられなかった残りのサブキャリアの全部ではないまでも大半についてのチャネル応答を推定するために、その結果が補間されてもよい。実際のチャネル応答および補間されたチャネル応答は、全体的なチャネル応答を推定するために使われる。全体的なチャネル応答は、OFDMチャネルにおけるサブキャリアの全部ではないまでも大半についてのチャネル応答を含む。基地局１４へのチャネル応答のフィードバックについてはのちにより詳細に述べる。
【００７６】
各受信経路についてチャネル応答から導出される周波数領域シンボルおよびチャネル再構成情報が、STCデコーダ１００に与えられる。STCデコーダ１００は、送信されたシンボルを復元するよう、両方の受信経路上でSTC復号を提供する。チャネル再構成情報は、それぞれの周波数領域シンボルを処理するときに伝送チャネルの効果を除去するに十分な等化情報を、STCデコーダ１００に提供する。
【００７７】
復元されたシンボルは、送信機のシンボル・インターリーバ論理５８に対応するシンボル・デインターリーバ論理１０２を使ってもとの順序に戻される。デインターリーブされたシンボルは次いで、マッピング解除論理１０４を使って復調またはマッピング解除されて、対応するビット・ストリームにされる。次いでそれらのビットは、送信機アーキテクチャのビット・インターリーバ論理５４に対応するビット・デインターリーバ論理１０６を使ってインターリーブ解除される。インターリーブ解除されたビットは次いで、レート・マッチング解除論理１０８によって処理され、最初にスクランブルされたデータおよびCRCチェックサムを復元するためのチャネル・デコーダ論理１１０に提出される。したがって、CRC論理１１２はCRCチェックサムを除去し、スクランブルされたデータを伝統的な仕方で検査し、該データを、既知の基地局スクランブル解除コードを使ってスクランブル解除してもともと送信されたデータをデータ１１６として復元するために、スクランブル解除論理１１４に提供する。
【００７８】
引き続き図６を参照するに、データ１１６を復元するのと並行して、CQIまたは少なくとも各基地局１４においてCQIを生成するのに十分な情報が決定され、各基地局に送信される。上記のように、CQIは搬送波対干渉比（CR:  carrier-to-interference  ratio）および当該OFDM周波数帯域中でさまざまなサブキャリアを通じてチャネル応答が変動する度合いの関数であってもよい。この実施形態については、情報を送信するために使われているOFDM周波数帯域における各サブキャリアについてのチャネル利得が、互いに対して比較され、当該OFDM周波数帯域を通じてチャネル利得が変動する度合いが決定される。変動の度合いを測定するには数多くの技法が利用可能であるが、一つの技法は、データを送信するために使われているOFDM周波数帯域を通じて各サブキャリアについてのチャネル利得の標準偏差を計算することである。
【００７９】
いくつかの実施形態では、中継局は、一つの電波だけを使って時分割の仕方で動作してもよいし、あるいはまた複数の電波を含んでもよい。
【００８０】
図５および図６に示した実施形態では、移動局１６は複数のアンテナ（２８、２９）を使って送信し、移動局は複数のアンテナを使って該送信を受信する。これは一般に複数入力複数出力（MIMO:  Multiple  Input  Multiple  Output）システムと称される。他の実施形態では、移動局１６は単一のアンテナのみを有していてもよい（複数入力単一出力（MISO:  Multiple  Input  Single  Output）送信システム）し、あるいは基地局および／または移動局は信号の送信および受信のために二つより多くのアンテナを使ってもよい。
【００８１】
〈チャネル応答フィードバック〉
基地局１４と移動局１６の間の無線通信では、基地局においてチャネル応答を知っていると、送信信号を干渉に対してより耐性にし、移動局でより容易に復号されるようにするためにシンボルの符号化を変更することが容易になる。図５に示した基地局の実施形態では、移動局１６への送信のために複数のアンテナが基地局１４によって利用され、空間的に多様な〔ダイバーシチのある〕信号の送信を容易にする。送信される信号の空間的ダイバーシチに対する変更は、移動局１６からのチャネル応答フィードバックを受信することに応答して、基地局１４によってなされてもよい。これは一般に、閉ループ（CL:  closed-loop）MIMOと称される。空間的ダイバーシチへのそのような変更は、制御システム２０およびベースバンド・プログラム論理２２によって生成されるマッピング制御信号においてSTCエンコーダ論理６０に通信されてもよい。ある実施形態では、基地局１４のアンテナ２８および２９によって送信される信号の空間的ダイバーシチに変更を加えるために、プリコーディング・マトリクスが使用される。ベースバンド・プロセッサ２２によって生成されるマッピング制御は、プリコーディング・マトリクス・インジケータ（PMI:  precoding  matrix  indicator）を含んでいてもよい。PMIは、アンテナ２８および２９による送信のためにSTCエンコーダ論理６０によって使用されるべきプリコーディング・マトリクスを同定する。
【００８２】
図６に戻って参照するに、移動局１６のチャネル推定機能９６によって生成されるチャネル応答は一般に、各チャネル応答を表し、フィードバックするために多くのビットを必要とし、このためかなりの送信オーバーヘッドを表す可能性が高い。送信オーバーヘッドを減らすため、サブキャリアまたはパイロット信号の特定の集合についてチャネル推定機能９６によって生成されるチャネル応答が、テーブル中の複数の予め決定されたチャネル応答と比較されて、そのチャネル応答に最も近いマッチである代表的な予め決定されたチャネル応答が選択されてもよい。そのようなテーブルは一般にコードブックと称され、応答を選択するプロセスは量子化と称されうる。判別されたチャネル応答が、ある予め決められたチャネル応答に量子化されるからである。一般に、コードブックは基地局１４から移動局１６への下りリンク伝送によって提供されることができ、よって、基地局で使われるコードブックは移動局で使われるコードブックに一致する。こうして、選択された量子化されたチャネル応答を同定する識別子のフィードバックが容易にされる。あるいはまた、コードブックは標準化されてもよく、製造時点で移動局１６に記憶されることができる。その場合、基地局１４はローカルに記憶されたコードブックを見て、受信された識別子に対応する、予め決定されたチャネル応答を決定してもよい。一例として、16個の予め決定されたチャネル応答を有するコードブックは、コードブック中の予め決定されたチャネル応答の位置を定義する4ビットの識別子によって表現されうる。識別子は一般に符号語と称され、移動局１６のベースバンド・プロセッサ３４および制御システム３２に与えられ、これが該符号語を、上りリンク・データ送信の一部としての送信回路３６による基地局１４への送信のためにエンコードする。
【００８３】
図５に戻って参照するに、基地局１４の基地局受信回路２６が次いで、符号語を含むデータ送信を受信し、制御システム２０が符号語を抽出し、アンテナ２８および２９を通じた移動局へのその後の送信を制御するためにSTCエンコーダ論理６０に与えられるマッピング制御信号への必要な変更があればそれを生成する。
【００８４】
パフォーマンス改善を達成するために、コードブックは、チャネル推定機能９６によって生成されたチャネル応答とコードブック中の予め決定されたチャネル応答との間の最も近いマッチを位置特定する際の量子化誤差を減らすために、多数の予め決定されたチャネル応答を要求してもよい。しかしながら、大きなコードブック・サイズは符号語の送信に必要とされるビット数を増大させる。たとえば、64個の予め決定されたチャネル応答を有するコードブックは、符号語の伝送のために6ビットを必要とする。そのような符号語伝送は、規則的な間隔で行われることがあり、上りリンク帯域幅のかなりの割合を占めうることになってしまうことがありうる。
【００８５】
図１５を参照するに、本発明のある実施形態に基づくコードブックが２５０で表形式で示されている。コードブック２５０は複数の予め決定されたチャネル応答（channel  response）２５２（CR1〜CR16）を含む。コードブック中の予め決定されたチャネル応答２５２は、ある相関基準に従って複数のクラスター２５４〜２６０にグループ化されている。図示した実施例では、第一のクラスター２５４がチャネル応答メンバーCR1〜CR4を含み、第二のクラスター２５６がチャネル応答メンバーCR5〜CR9を含み、第三のクラスター２５８がチャネル応答メンバーCR9〜CR12を含み、第四のクラスター２６０がチャネル応答メンバーCR13〜CR16を含む。
【００８６】
ある実施形態では、クラスター２５４〜２６０の一つに入れられるチャネル応答メンバーは共通のまたは一次的な特徴または一次PMIを含む。一次PMIは、諸クラスター・メンバーについてのプリコーディング・マトリクスの主成分の指標を提供しうる。各クラスター２５４〜２６０中のチャネル応答メンバーが一次PMI（primary  PMI）からの逸脱を定義する。したがって、チャネル応答メンバーCR1〜CR16は、一次PMIからの差を、差分PMI（differential  PMI）として定義しうる。関係した一次PMIのもとに差分PMIをクラスター２５４〜２６０にグループ化することは、伝送チャネルに小さな変動があるときに、一次PMIがいまだチャネル応答をカバーしているので、差分PMIを定義するチャネル応答メンバーだけを送信することを容易にする。
【００８７】
図６に戻って参照するに、移動局制御システム３２は、上記の移動局機能を実行し、本発明のある実施形態によれば基地局１４と移動局１６の間の伝送を特徴付けるチャネル情報のフィードバックのためのある種の追加的機能を実行するプロセッサ回路３３を含む。
【００８８】
図１６を参照するに、本発明のある実施形態によれば、移動局１６のような移動局のプロセッサ回路３３によって実行されるプロセスが概括的に３００でフローチャートとして示されている。このフローチャートのブロックは一般に、プロセッサ回路３３にチャネル応答のフィードバックに関係したさまざまな機能を実行するよう指令するために、コンピュータ可読媒体から読まれ、プログラム・メモリに格納されうるコードを表す。各ブロックを実装するための実際のコードは、いかなる好適なプログラム言語で書かれてもよい。
【００８９】
プロセス３００はブロック３０２で始まる。ブロック３０２は、基地局１４からの無線送信において受信された搬送波周波数についてのチャネル応答を決定するチャネル推定機能９６（図６に示す）を呼び出すようプロセッサ回路３３に指令する。OFDM伝送については一般に、複数のサブキャリアが受信されることがあり、チャネル応答は、それら複数のサブチャネル内のパイロット信号の一つまたは複数について決定されうるのみである。
【００９０】
次いでブロック３０４はプロセッサ回路３３に、コードブック２５０（図１５に示す）中で、決定されたチャネル応答に対する最も近い一致物である予め決定されたチャネル応答を位置特定するよう指令する。次いでブロック３０６はプロセッサ回路３３に、移動局１６に、位置特定された予め決定されたチャネル応答に関連付けられたクラスターを同定する一次識別子を、基地局１４に対して送信させるよう指令する。たとえば、最も近く一致する予め決定されたチャネル応答がCR7であると判定される場合、一次識別子は「1」またはデジタルの「01」（2ビット）でありうる。次いでブロック３０８はプロセッサ回路３３に、移動局に１６に、位置特定された予め決定されたチャネル応答に関連付けられたクラスターのメンバーを同定する差分識別子を送信させるよう指令する。上記の例では、CR7について、基地局１４は「2」またはデジタルの「10」（2ビット）を送信する。
【００９１】
一般に、一次識別子および差分識別子は、音声、データまたは制御情報のような他のデータと一緒に、基地局１４に送信し返される。一次識別子および差分識別子のそのような送信は、基地局１４によって、該送信のスケジューリングを助けるために移動局１６に制御情報を送信することによってスケジュールされる。
【００９２】
図５に戻って参照するに、基地局制御システム２０は、上記の基地局機能を実行し、本発明のある実施形態によれば基地局１４と移動局１６の間の伝送を特徴付けるフィードバック・チャネル情報をスケジューリングおよび受信するためのある種の追加的機能を実行するプロセッサ回路２１を含む。
【００９３】
図１７を参照するに、本発明のある実施形態によれば、基地局１４のような基地局のプロセッサ回路２１によって実行されるプロセスが概括的に３２０でフローチャートとして示されている。このフローチャートのブロックは一般に、プロセッサ回路２１に移動局１６からのチャネル応答のフィードバックの受信に関係したさまざまな機能を実行するよう指令するために、コンピュータ可読媒体から読まれ、プログラム・メモリに格納されうるコードを表す。各ブロックを実装するための実際のコードは、いかなる好適なプログラム言語で書かれてもよい。
【００９４】
プロセス３２０はブロック３２２で始まる。ブロック３２２は、移動局によって生成されたチャネル応答に関連付けられたクラスターを同定する一次識別子を受信するようプロセッサ回路２１に指令する。次いでブロック３２４はプロセッサ回路２１に、一次識別子によって同定されるクラスター内のチャネル応答メンバーを同定する差分識別子を受信するよう指令する。プロセスは次いでブロック３２６に進み、該ブロック３２６はプロセッサ回路２１に、一次識別子および差分識別子によって同定された予め決定されたチャネル応答をコードブック中で位置特定するよう指令する。次いでブロック３２８は、プロセッサ回路２１に、移動局にデータを送信するためにSTCエンコーダ論理６０を制御するためのマッピング制御信号を生成するよう指令する。
【００９５】
一般的な表現では、一次識別子を表現するためにN1ビットが必要とされる。コードブック２５０については、N1＝2ビットであり、2N1＝22＝4個のクラスターがある。同様に、差分識別子を表現するためにN2ビットが必要とされる。コードブック２５０については、N2＝2ビットであり、各クラスター中に2N2＝22＝4個のメンバーがある。よって、コードブック・サイズは2(N1+N1)＝24＝16個のチャネル応答である。クラスターへのグループ分けなしの同じサイズのコードブックについては、符号語長はN1＋N2＝4ビットになり、よって各チャネル応答について基地局１４に4ビットを送信し返す必要がある。有利なことに、クラスター数およびメンバー数が同じである図示したコードブック実施形態では、一次識別子および差分識別子のそれぞれが2ビットのデータを含み、これはチャネル応答の上りリンク伝送のための統一された上りリンク制御チャネル設計を容易にする。コードブックがN1≠N2である他の実施形態では、一次識別子は差分識別子とは異なる数のビットを有していてもよい。有利なことに、再構成されたコードブック２５０は、各チャネル応答についてたった2ビットを使って基地局１４へのチャネル応答フィードバックを許容する。
【実施例１】
【００９６】
第一の例によれば、基地局１４は、第一の送信時間期間の間に一次識別子の送信をスケジュールしてもよく、第二の時間期間の間に差分識別子の送信をスケジュールしてもよい。ここで、第二の時間期間は第一の時間期間より後である。これらの時間期間は、移動局１６と基地局１４の間の上りリンク・サブフレーム・データ伝送レートに基づいていてもよい。ある実施形態では、一次識別子の送信はTサブフレーム毎に周期的にスケジュールされる（すなわち、第一の所定の時間間隔Tだけ離間される）。基地局１４によって提供されるスケジューリングに応答して、移動局１６はチャネル推定機能９６を呼び出し、コードブック２５０中のクラスター２５４〜２６０にわたって検索して、どのクラスターがチャネル推定機能によって与えられたチャネル応答に最もよく一致するかを決定する。次いで、選択されたクラスターに対応する一次識別子が、前記スケジューリングに従って基地局１４に送信し返される。
【００９７】
差分識別子は、Tサブフレーム毎の間の残りのT−1個のサブフレームについての周期的送信のためにスケジュールされてもよい。たとえば、一次識別子送信は10サブフレーム目ごとに送信のためにスケジュールされてもよく、差分識別子送信は残りの9サブフレームについてスケジュールされてもよい。基地局１４によって提供されるスケジューリングに応答して、移動局１６はチャネル推定機能９６を呼び出し、コードブック２５０中の前に選択されたクラスター内の諸メンバーにわたって検索して、どのメンバーがチャネル推定機能によって与えられたチャネル応答に最もよく一致するかを決定する。次いで、クラスター中の選択されたメンバーに対応する差分識別子が、前記スケジューリングに従って基地局１４に送信し返される。差分識別子のこのフィードバックのためのプロセスは、次のスケジュールされた一次識別子送信まで周期的に繰り返される。
【００９８】
一次識別子および差分識別子を受信すると、基地局１４は、該一次識別子および差分識別子を組み合わせることによって、ローカルに記憶されているコードブックのコピーにおいて、対応する予め決定されたチャネル応答を位置特定し、移動局１６へのその後の送信を制御するためのマッピング制御を生成する。このように、ひとたび一次識別子および少なくとも一つの差分識別子が基地局で受信されると、基地局１４は、予め決定されたチャネル応答のうちのどれを使うべきかを決定できる。さらなる差分識別子が受信されることは同じクラスターに属すると想定され、移動局１６への送信のために異なるコードブック・エントリーが使われる結果となりうる。
【００９９】
伝送チャネルにおける変化が十分ゆっくり起こるときは、一次識別子によって同定される選択されたクラスターはチャネル応答を表し、よって選択されたクラスター内での差を同定する差分識別子を送信するだけでよい。この実施形態では、伝送チャネルにおける、選択されたクラスターの変更を必要とするより大きな変化が起こるとすると、新しいクラスターを選択する更新された一次識別子が移動局によって、次のスケジュールされた一次識別子送信において送信される。あるいはまた、基地局１４がある時間期間にわたる受信された差分識別子における傾向が、チャネルが別のクラスターに移ることがありうるようなものであると判定する場合、基地局は移動局１６に、更新された一次識別子を送るよう要求することができる。他のチャネル品質指標（CQI）も、クラスターおよび差分識別子と一緒の送信のためにスケジュールされてもよい。
【０１００】
有利なことに、一次識別子に続いて差分識別子の送信をスケジュールすることによって、チャネル応答フィードバックのための上りリンク・オーバーヘッドが軽減される。上りリンク・オーバーヘッドの低下は移動局１６による電力使用の低下およびユーザー・データに割り当てる資源の増加にもつながる。基地局１４において差分識別子の一つも受信されない場合には、基地局は最後に受信された差分識別子に基づいて継続することができ、それによりシステムはチャネル・フィードバックの喪失に対していくぶん堅牢になる。さらに、フィードバックは、単一ユーザーMIMOまたは複数ユーザーMIMOの両方について使用できるという点で、異なるMIMOモードについて柔軟である。さらに、一次識別子および差分識別子が同数のビットをもつ実施形態では、フィードバックのスケジューリングは簡略化される。各サブフレームの間に送信されるビットが同数であり、基地局１４は単に、任意の特定のサブフレームにおいてフィードバックのためにどちらの識別子がスケジュールされたかに基づいてビットを解釈すればいいからである。
【実施例２】
【０１０１】
第二の例によれば、基地局１４は、上記の実施例１で述べたように一次識別子の周期的な送信をスケジュールしうる一方、差分識別子は基地局によって要求されたときに基地局１４に送信し返されるのみである。図１８を参照するに、基地局（BS）と第一および第二の移動局（MS1およびMS2）との間の例示的な送信が３５０で概略的に示されている。データ送信は、複数の交互する上りリンク（UL）フレーム３５４、３５８、３６２および下りリンク（DL）フレーム３５２、３５６、３６０として示される。各下りリンクまたは上りリンク・フレーム３５２〜３６２は複数のサブフレーム３６４を含む。上りリンク・フレームは移動局１６から基地局１４への送信であり、下りリンク・フレームは基地局から移動局への送信である。
【０１０２】
上りリンク・フレーム３５４の最初のサブフレーム３６６において、MS1およびMS2の両方が基地局によって、矢印３６８および３７０によって示されるように一次識別子をフィードバックするようスケジュールされる。同様に、上りリンク・フレーム３６２の最初のサブフレーム３７２では、MS1およびMS2の両方が再び基地局によって、矢印３７４および３７６によって示されるように一次識別子をフィードバックするようスケジュールされる。このように、一次識別子フィードバックは、３７８で示されるように16サブフレーム毎に周期的に行われる。
【０１０３】
この例では、差分識別子のフィードバックは、基地局からの要求に応答してである。図１８では、基地局は、矢印３８０によって表される下りリンク・サブフレーム３５６の第一のサブフレームにおいて、差分識別子のフィードバックを求めて、要求を移動局MS2に送信する。MS2は、次の上りリンク・フレーム３５８において、矢印３８２によって示されるように、サブフレーム３８４の間に送信されるデータ中で差分識別子を送信することによって応答する。この例では、差分識別子のフィードバックの要求は移動局MS1には送信されず、移動局MS1はたとえばアイドル状態にあってもよい。音声または制御データのような他のデータの送信は、矢印３８６によって示されるように、フレーム３６０の間、基地局とMS2との間で継続する。図１８に示した実施形態では、基地局１４によって送信される要求は、一次識別子の送信と送信の間に（すなわち時間期間３７８の間に）単一のサブフレーム３８４において差分識別子のフィードバックを要求するのみである。別の実施形態では、基地局が伝送チャネルのパフォーマンスが急速に変化しつつあることを判定する場合には、基地局は、一次識別子の送信と送信の間の差分識別子のより頻繁な送信を要求してもよく、期間３７８内の毎サブフレームに差分識別子の送信が行われることさえ要求してもよい。ある実施形態では、移動局MS2は差分CQIもフィードバックしてもよい。
【０１０４】
有利なことに、差分識別子のオンデマンドのフィードバックは、より限られた資源である上りリンク（移動局から基地局）送信におけるオーバーヘッドを軽減する。下りリンク帯域幅は上りリンク帯域幅より大きいので、基地局に課される要求は、軽減される上りリンク・オーバーヘッドと比較して有意でないことがありうる。移動局MS1は、16サブフレーム毎の一次識別子のフィードバック以外には追加的な上りリンク・オーバーヘッドは被らない。上りリンク・オーバーヘッドの低下は移動局MS1およびMS2による電力使用の低下にもつながる。移動局からの送信された差分識別子の一つが基地局において受信されない場合には、基地局によって要求が再送信されることができ、その間、送信は、最後に受信された差分識別子に基づいて継続する。それによりシステムは差分識別子フィードバックの喪失に対していくぶん堅牢になる。
【実施例３】
【０１０５】
第三の例によれば、一次識別子および差分識別子両方の基地局への非周期的なフィードバックが、図１９で概括的に４００で示されるコードブックを使って実装される。図１９を参照するに、コードブックは2N1×2N2-1個のチャネル応答（channel  response）を含む。この場合、N1＝4およびN2＝4についてのCR1〜CR128である。これらのチャネル応答はある相関基準に基づいて2N1個のクラスター４０２〜４０４（すなわちN1＝4について16個のクラスター）にグループ化される。各クラスターはヘッダ４０６、ダミー符号語４０８および2N2-1個のチャネル応答メンバー４１０ないし４１２を含む。ヘッダ４０６が一次識別子を定義する。一方、インデックス0〜7は差分識別子（符号語）を定義する。チャネル推定機能９６によって与えられるチャネル応答を同定する差分識別子がもはや一次識別子によって同定されるクラスターに属さない場合には、ダミー符号語が使われる。
【０１０６】
図２０を参照するに、移動局１６に、一次識別子および差分識別子両方の基地局１４への非周期的なフィードバックのためのチャネル応答符号語を決定するよう指令するプロセスが概括的に４２０で示されている。このプロセスはブロック４２２で始まる。ブロック４２２は、プロセッサ回路３３に、符号語クラスター４０２〜４０４にわたって検索することによって最も近い一致するクラスターCLjを見出すことによって、プロセスを初期化するよう指令する。最も近い一致するクラスターCLjは基地局１４に送信される。次いでプロセスはブロック４２４に続き、該ブロック４２４はプロセッサ回路３３に、コードブック４００全体にわたって検索して最良のチャネル応答CWiを見出すよう指令する。次いで、ブロック４２６はプロセッサ回路３３に、ブロック４２４で見出されたチャネル応答がブロック４２２で見出されたクラスターに属するかどうかを判定するよう指令する。もしそうであれば、プロセスはブロック４２８に進み、該ブロック４２８は、プロセッサ回路３３に、チャネル応答CWiをクラスターCLjのインデックスにマッピングし、該応答を基地局１４にフィードバックするよう指令する。プロセスは次いでブロック４２４に戻り、ブロック４２４および４２６は、次のチャネル応答フィードバックについて繰り返される。
【０１０７】
ブロック４２６において、ブロック４２４で見出されたチャネル応答がブロック４２２で見出されたクラスターに属さない場合、ブロック４３０がプロセッサ回路３３に、ブロック内の挙げられているステップ１〜４を実行するよう指令する。第一のステップでは、一次識別子CLjが、チャネル応答メンバーCWiがCLjに属するよう更新され、「000」のようなダミー・インデックスが基地局にフィードバックされる。このダミー識別子は、次の上りリンク送信において一次識別子（差分識別子ではなく）が送られるという指標を基地局１４に与える。このステップに続いて、更新された一次識別子CLjのフィードバックおよび差分識別子CWiのフィードバックが行われる。有利なことに、この例では、一次識別子は必要なときに送信されるだけなので、上りリンク・オーバーヘッドがそれに応じて軽減される。N1＝N2の場合、一次識別子および差分識別子のフィードバックは同数のビットを使う。有利なことに、各チャネル応答フィードバックについて、現在のクラスターだけではなく、コードブックの全体検索を行うために、移動局における複雑さがやや高くなるが、一次識別子が動的かつ非周期的に更新され、よって、伝送パフォーマンスを維持しつつ、上りリンク帯域幅が軽減される。
【０１０８】
有利なことに、開示される実施形態および例は、コードブック中のチャネル応答メンバーの数を減らすことなく、基地局と移動局の間の伝送チャネルを特徴付けるチャネル情報のフォードバックに関わる伝送オーバーヘッドの削減を容易にする。
【０１０９】
本発明の個別的な実施形態について説明および図示してきたが、そのような実施形態は単に本発明を例解するものと考えるべきであって、付属の請求項に従って解釈される本発明を限定するものと考えるべきではない。
【図１】
2012532534.tif 000003
【図２】
2012532534.tif 000004
【図３】
2012532534.tif 000005
【図４】
2012532534.tif 000006
【図５】
2012532534.tif 000007
【図６】
2012532534.tif 000008
【図７】
2012532534.tif 000009
【図８】
2012532534.tif 000010
【図９】
2012532534.tif 000011
【図１０】
2012532534.tif 000012
【図１１】
2012532534.tif 000013
【図１２】
2012532534.tif 000014
【図１３】
2012532534.tif 000015
【図１４】
2012532534.tif 000016
【図１５】
2012532534.tif 000017
【図１６】
2012532534.tif 000018
【図１７】
2012532534.tif 000019
【図１８】
2012532534.tif 000020
【図１９】
2012532534.tif 000021
【図２０】
2012532534.tif 000022
【国際調査報告】
2012532534.tif 000023
2012532534.tif 000024